(57)【要約】 【課題】棚の許容荷重を増大し得る棚板取付具を提供する。【解決手段】ピンを用いて棚板１を壁面に取り付ける取付具であって、壁面の縦方向に配設されて、棚板１を水平に支持する板状の支持部２と、この支持部２の壁面当接部位２ａに一体的に設けられて、支持部２を壁面にピンにて固定する取付部４を備えている。支持部２には、棚板１がその奥行き全体にわたって係合・係止される係止部３が形成されている。【選択図】図１
2007222197.tif 000002
【特許請求の範囲】
【請求項１】
ピンを用いて棚板を壁面に取り付ける取付具であって、
前記壁面の縦方向に配設されて、前記棚板を水平に支持する板状の支持部と、この支持部の壁面当接部位に一体的に設けられて、前記支持部を前記壁面にピンにて固定する取付部を備え、
前記支持部は、前記棚板がその奥行き全体にわたって係合・係止される係止部を備えることを特徴とする棚板取付具。
【請求項２】
前記棚板が前記支持部の縦方向中央に支持されており、且つ、前記取付部が前記棚板を挟んで前記壁面当接部位の上下両端側に設けられていることを特徴とする請求項１に記載の棚板取付具。
【発明の詳細な説明】
【技術分野】
【０００１】
本発明は、壁面への取り付けにピンを用いる棚板取付具であって、特に、棚の許容荷重を増大し得る棚板取付具に関するものである。
【背景技術】
【０００２】
従来より、棚を壁面等に設置する場合は、例えば、Ｌ字形の支持部材に棚板を水平に支持して、この支持部材を釘やビスにて壁面に取り付ける構造が知られている。
ところが、ネジや釘等を用いると、棚の取り付けや取り外しが容易ではないことから、特に、壁面が紙貼りの石膏ボードやプリント合板等の場合は、棚の取り付けに細長いピン（インサートピン）を用いることが行われている。その理由は、ピンの場合は上述した釘やビス等と相違し、ピンの抜き刺しが容易であり、且つ、棚を取り外した後のピン跡が目立たず、美観を損なわないからである。
【０００３】
上述のように、壁面への取り付けにピンを用いた棚板の取付具は、例えば、特許文献１に開示されている。特許文献１には、棚板を水平に挟持する開口部を設けた三角状の取付具を用いて棚板の後端部を支持すると共に、この取付具を上述の細長いピンを用いて壁面に取り付ける構造が開示されている。
【０００４】
ところが、ピンによる取り付けは、釘やビスに比べて棚の取り付けが容易である反面、ピンが緩み易く抜け易いため、棚に重量物を載せることができないという欠点があった。
【特許文献１】特開２００２−２６２９５２号公報
【発明の開示】
【発明が解決しようとする課題】
【０００５】
本発明は、上記欠点に鑑み成されたもので、比較的重い物も載置可能な許容荷重の大きい棚板取付具を提供することを目的としている。
【課題を解決するための手段】
【０００６】
すなわち、請求項１に記載の発明は、ピンを用いて棚板を壁面に取り付ける取付具であって、前記壁面の縦方向に配設されて、前記棚板を水平に支持する板状の支持部と、この支持部の壁面当接部位に一体的に設けられて、前記支持部を前記壁面にピンにて固定する取付部とを備え、前記支持部は、前記棚板がその奥行き全体にわたって係合・係止される係止部を備えることを特徴としている。
【０００７】
また、請求項２に記載の発明は、請求項１に記載の棚板取付具において、前記棚板が前記支持部の縦方向中央に支持されており、且つ、前記取付部が前記棚板を挟んで前記壁面当接部位の上下両端側に設けられていることを特徴としている。
【発明の効果】
【０００８】
本発明によれば、支持部によって棚板の奥行き全体が支持されるように構成されているため、棚板に物を乗せた時の取付部に加わる力、すなわち、ピンの抜き方向の力が軽減され、その結果、棚の許容荷重が増大し、比較的重い物でも乗せることができるため、極めて実用的となる。
【発明を実施するための最良の形態】
【０００９】
以下、図１〜図５に基づいて本発明に係る棚板支持具の実施形態を説明する。  図１は本実施形態による棚の外観を示し、図２は同、棚の背面を示し、図３は棚板の取り付けを示し、図４は取付部の取り付けを示し、図５は棚の取り付けを示している。  
【００１０】
図１、２において、符号１は棚板、符号２はこの棚板１を支持する支持部であって、本発明の棚板取付具を構成するものである。この支持部２は、各辺が棚板１の奥行き幅ｄより幾分大きい四角形平板で構成されており、その背面側２ａ（壁面当接部側）において、縦中央部より前方水平方向に向けて凹溝３（係止部）が設けられ、図３に示すように、この凹溝３に棚板１の端縁を係合させることにより、棚板１が壁面Ｗに対して水平に係止されるようになっている。
本実施形態では、凹溝３の奥行きを上述した棚板１の奥行き幅ｄとほぼ同じ長さにして、棚板１の両端縁がその奥行き全体にわたって係止されるように構成されている。
【００１１】
また、図４に示すように、この支持部２の壁面当接部２ａ側の上下角部に角状凹部９が形成され、この凹部９に断面コの字形の角形取付部４、４が埋設されていると共に、背部よりネジ穴を６を通して支持部２にネジ５止めされている。
また、この取付部４の壁面当接面において、縦方向２箇所に斜め内向きのピン挿通穴７が形成されており、棚を壁面に設置する際は、図５に示すように、このピン挿通穴７に斜め外方よりピン８を挿通して、取付部４を壁面Ｗ（紙貼りの石膏ボードやプリント合板等）に固定（ピン打ち）できるようになっている。
上述のように、上下の取付部４の取り付けは、何れも斜め外方からのピン打ちであるため、壁面Ｗへの取り付けは極めて容易であり、且つ、ピン打ち後、露出したピン打ち部分は取付部４に付設のカバー１０で目隠できるため、美観を損なうこともない。尚、上述したピン８は、外径１．２φ、長さ２５ｍｍ程度のものが用いられている。
【００１２】
以上、本実施形態の棚板取付具は、支持部２の壁面当接部２ａの上下両端に取付部４が一体化されていると共に、この支持部２によって棚板１がその奥行き全体にわたって支持されるように構成されているため、棚に物を乗せた時の棚板１の奥行き全体に掛かる下方向の力を支持部２が吸収し、この下方向の力の支点である取付部４に作用する力が軽減されることになり、よって、ピン８が引き抜かれる方向の力が軽減され、棚使用の際に壁面に打ち込んだピン８が緩んだり抜けたりし難くなる。
この結果、特許文献１のように棚板の奥行きの一部分を支持するような場合に比べて棚の許容荷重を増大することが可能となり、ピンによる取り付けであっても比較的重い物を乗せることができるようになり、棚の適用範囲が広がることから、極めて実用的となる。
【００１３】
また、取付部４が棚板１を挟んで支持部の上下両端に配設されているため、棚の許容荷重はさらに大きいものとなる。
【００１４】
以上、本実施形態では、棚板１の左右両端を一対の支持部２、２にて支持する構成を示したが、棚板１の長さや棚板１に載置される重量物等により適宜支持部２を増設することも勿論可能である。但し、この場合は、棚板１の左右両端以外の中間部位に配設される支持部２については、凹溝３を切り欠き構造にする必要がある。
【００１５】
また、本実施形態では、支持部２にピン打ち用のピン挿通穴７を設けた取付部４を埋設するようにしたが、支持部２に直接ピン挿通穴７を形成する（支持部２にピン挿通穴７を一体成形する）することも勿論可能であり、この場合は、支持部２の構造が簡便化され、部品点数が削減されるというメリットがある。
【図面の簡単な説明】
【００１６】
【図１】本発明に係る棚の外観斜視図。
【図２】同、棚の背面図。
【図３】棚板の取り付けを示す斜視図。
【図４】取付部の取り付けを示す要部斜視図。
【図５】棚の取り付けを示す縦断面図。
【符号の説明】
【００１７】
１  棚板
２  支持部
３  係止部
４  取付部
８  ピン
Ｗ  壁面
【図１】
2007222197.tif 000003
【図２】
2007222197.tif 000004
【図３】
2007222197.tif 000005
【図４】
2007222197.tif 000006
【図５】
2007222197.tif 000007